(57)【要約】【課題】電磁誘導加熱式の電気炊飯器において、電波時刻信号の受信による現在時刻の修正を適正に行い得るようにする。【解決手段】電磁誘導加熱式の電気炊飯器において、時刻受信部（受信アンテナ４５）による電波時刻信号の受信を、電磁誘導コイル（ワークコイル１０）の休止状態のときに行い、かくして受信された電波時刻信号により液晶表示装置５２の時刻表示部に表示される現在時刻を予め設定された時期に修正するようにしている。【選択図】      図３
2004166786.tif 000002
【特許請求の範囲】
【請求項１】
炊飯用の内鍋と、該内鍋を電磁誘導により発熱させる電磁誘導コイルと、現在時刻を表示する時刻表示部と、電波時刻信号を受信する時刻受信部と、前記電波時刻信号により前記時刻表示部に表示される現在時刻を予め設定された時期に修正する時刻修正手段とを備えた電気炊飯器であって、前記時刻受信部による電波時刻信号の受信を、前記電磁誘導コイルの休止状態のときに行うように制御する受信制御手段を付設したことを特徴とする電気炊飯器。
【請求項２】
炊飯用の内鍋と、該内鍋を電磁誘導により発熱させる電磁誘導コイルと、現在時刻を表示する時刻表示部と、電波時刻信号を受信する時刻受信部と、前記電波時刻信号により前記時刻表示部に表示される現在時刻を予め設定された時期に修正する時刻修正手段とを備えた電気炊飯器であって、前記時刻受信部による電波時刻信号の受信時には前記電磁誘導コイルの作動を休止する作動制御手段を付設したことを特徴とする電気炊飯器。
【請求項３】
前記作動制御手段を、吸水工程中あるいは保温制御中にのみ作動させるように構成したことを特徴とする前記請求項２記載の電気炊飯器。
【請求項４】
交流電源の非接続時に作動する補助電源を付設するとともに、前記電波時刻信号の受信を、交流電源の接続中にのみ行うように構成したことを特徴とする前記請求項１、２および３のいずれか一項記載の電気炊飯器。
【請求項５】
交流電源の非接続時に作動する補助電源を付設するとともに、該補助電源の接続時における前記電波時刻信号の受信回数を、交流電源の接続時における前記電波時刻信号の受信回数より少なくしたことを特徴とする前記請求項１、２および３のいずれか一項記載の電気炊飯器。
【発明の詳細な説明】
【０００１】
【発明の属する技術分野】
本願発明は、現在時刻を外部電波（即ち、電波時刻信号）の受信により修正表示できるように構成された電磁誘導加熱式の電気炊飯器に関するものである。
【０００２】
【従来の技術】
一般に、電気炊飯器においては、水晶発振子により決められた現在時刻を液晶表示装置に表示するようにしているが、水晶発振子により決められる現在時刻は狂いが生じ易く、ユーザが時々時刻合わせを行う必要があり、使い勝手が悪いという不具合があった。
【０００３】
上記不具合に対処するものとしては、独立行政法人通信総合研究所標準電波送信所より規定周波数の電波に乗せて送信される現在時刻を表す電波時刻信号（即ち、外部電波）を受信して、受信した現在時刻に液晶表示装置に表示されている現在時刻を修正するようにしたものが提案されている（例えば、特許文献１参照）。
【０００４】
【特許文献１】
特開平７−１０８０２３号。
【０００５】
【発明が解決しようとする課題】
ところが、上記特許文献１に開示されている電気炊飯器は、特許文献１における明細書の段落番号「００１１」に「３は本体１に着脱自在に挿入される内鍋で、加熱手段２に当接し加熱される。」と記載されているように、加熱手段として電気ヒータを採用したものとされている。このように加熱手段として電気ヒータを用いた電気炊飯器の場合、電波時刻信号を常時受信したとしても何ら問題を生じることはない。
【０００６】
ところで、電気炊飯器には、電磁誘導コイルの発振による電磁誘導により内鍋を加熱するように構成されたものがあり、このような電磁誘導加熱式の電気炊飯器の場合、電磁誘導コイルの発振時には、前記電波時刻信号の周波数に近い周波数の電磁波が発生するため、該電磁波がノイズとなって電波時刻信号の受信・時刻修正を行うことが難しくなる。
【０００７】
上記のような理由から、電磁誘導加熱式の電気炊飯器においては、電波時刻信号の受信による現在時刻の修正には特別な工夫を凝らす必要が生じる。
【０００８】
本願発明は、上記の点に鑑みてなされたもので、電磁誘導加熱式の電気炊飯器において、電波時刻信号の受信による現在時刻の修正を適正に行い得るようにすることを目的とするものである。
【０００９】
【課題を解決するための手段】
本願発明では、上記課題を解決するための第１の手段として、炊飯用の内鍋と、該内鍋を電磁誘導により発熱させる電磁誘導コイルと、現在時刻を表示する時刻表示部と、電波時刻信号を受信する時刻受信部と、前記電波時刻信号により前記時刻表示部に表示される現在時刻を予め設定された時期に修正する時刻修正手段とを備えた電気炊飯器において、前記時刻受信部による電波時刻信号の受信を、前記電磁誘導コイルの休止状態のときに行うように制御する受信制御手段を付設している。
【００１０】
上記のように構成したことにより、時刻受信部による電波時刻信号の受信が電磁誘導コイルの休止時に行われることとなる。従って、電磁誘導コイルが発する電磁波（換言すれば、ノイズ）に邪魔されることなく、電波時刻信号の受信を行うことができることとなり、現在時刻の修正を適正に行うことができる。
【００１１】
本願発明では、上記課題を解決するための第２の手段として、炊飯用の内鍋と、該内鍋を電磁誘導により発熱させる電磁誘導コイルと、現在時刻を表示する時刻表示部と、電波時刻信号を受信する時刻受信部と、前記電波時刻信号により前記時刻表示部に表示される現在時刻を予め設定された時期に修正する時刻修正手段とを備えた電気炊飯器において、前記時刻受信部による電波時刻信号の受信時には前記電磁誘導コイルの作動を休止する作動制御手段を付設している。
【００１２】
上記のように構成したことにより、時刻受信部による電波時刻信号の受信時には、電磁誘導コイルの作動が強制的に休止されることとなる。従って、電磁誘導コイルが発する電磁波（換言すれば、ノイズ）に邪魔されることなく、電波時刻信号の受信を行うことができることとなり、現在時刻の修正を適正に行うことができる。
【００１３】
本願発明では、さらに、上記課題を解決するための第３の手段として、上記第２の手段を備えた電気炊飯器において、前記作動制御手段を、吸水工程中あるいは保温制御中にのみ作動させるように構成することもでき、そのように構成した場合、吸水工程中あるいは保温制御中においては、電波時刻信号の受信時に電磁誘導コイルを強制的に休止させたとしても、吸水機能あるいは保温機能が阻害されるということがないので、炊飯あるいは保温を良好に継続しつつ電波時刻信号の受信を行うことができる。
【００１４】
本願発明では、さらに、上記課題を解決するための第４の手段として、上記第１、第２又は第３の手段を備えた電気炊飯器において、交流電源の非接続時に作動する補助電源を付設するとともに、前記電波時刻信号の受信を、交流電源の接続中にのみ行うように構成することもでき、そのように構成した場合、電波時刻信号の受信によって消費される電力を交流電源により賄うことができることとなり、補助電源の電力消費を可及的に抑えることができる。
【００１５】
本願発明では、さらに、上記課題を解決するための第５の手段として、上記第１、第２又は第３の手段を備えた電気炊飯器において、交流電源の非接続時に作動する補助電源を付設するとともに、該補助電源接続時における前記電波時刻信号の受信回数を、交流電源接続時における前記電波時刻信号の受信回数より少なくすることもでき、そのように構成した場合、電波時刻信号の受信により消費される補助電源の電力消費を必要最小限に抑えることができることとなり、補助電源の寿命を引き延ばすことができる。
【００１６】
【発明の実施の形態】
以下、添付の図面を参照して、本願発明の幾つかの好適な実施の形態について詳述する。
【００１７】
第１の実施の形態
図１ないし図５には、本願発明の第１の実施の形態にかかる電気炊飯器が示されている。
【００１８】
この電気炊飯器は、内部に炊飯用の内鍋３を収納し得るように構成され且つ空間部４を有する二重構造の炊飯器本体１と、該炊飯器本体１の上部開口を開閉自在に覆蓋する蓋体２とを備えている。
【００１９】
前記炊飯器本体１は、外側壁となる胴部５ａと底壁となる底部５ｂとを有する合成樹脂の一体成形品からなる外ケース５と、内周壁となる合成樹脂製の有底筒状の保護枠６と、該保護枠６の上端と前記外ケース５の上端とを結合する合成樹脂製の肩部材７とによって構成されており、前記外ケース５、保護枠６および肩部材７に囲まれて前記空間部４が形成されている。なお、前記保護枠６内には、前記内鍋３が取り出し可能に収納されることとなっている。
【００２０】
前記保護枠６の底面中央部には、内鍋温度を検出するための温度検出手段として作用するセンタセンサー８を臨ませるためのセンサー穴９が形成されている。
【００２１】
前記センサー穴９を包囲するように炊飯時における加熱手段として作用する環状の電磁誘導コイル（以下、ワークコイルという）１０が前記保護枠６の底面および該底面から側周面に至る間の湾曲部に対応して配設されている。該ワークコイル１０は、交番磁界（換言すれば、電磁波）を発生するものであり、該交番磁界の電磁誘導により前記内鍋３に誘導渦電流を発生させ、該誘導渦電流の抵抗熱を利用して加熱するものとされている。なお、内鍋３は、ワークコイル１０により誘導渦電流を発生させることのできる材質（例えば、磁性体材料）により構成される。
【００２２】
前記ワークコイル１０は、前記保護枠６の底面に対して固定されたコイルダイ１１と前記保護枠６の底面との間に挟持されている。符号１２はフェライトコアであり、ワークコイル１０による磁気が下方に存在する機器に対して影響を及ぼさないように遮閉する作用をなす。
【００２３】
前記センサー穴９内には、前記内鍋３の底部に対して接触するようにしてセンタセンサー８が設けられている。また、前記保護枠６の側周面には、保温時における加熱手段として作用する保温ヒータ１３が取り付けられている。
【００２４】
前記炊飯器本体１の底部（即ち、外ケース５の底部５ｂ）には、前記ワークコイル１０の通電制御を行うためのパワートランジスタおよび整流用ダイオードブリッジ（図示省略）等の電子部品へ冷却風を圧送する電子部品冷却ファン１４が配設されている。また、前記炊飯器本体１の底壁（具体的には、外ケース５の底部５ｂ）には、前記電子部品冷却ファン１４に対向して空気入口１５が形成されている。
【００２５】
一方、前記蓋体２は、外面を構成する合成樹脂製の上板１６と、内面を構成する合成樹脂製の下板１７とによって構成されており、前記上下板１６，１７に囲まれた空間部１８には、断熱材１９が配設されている。
【００２６】
この蓋体２は、前記肩部材７の一側に形成されたヒンジユニット２０を介して炊飯器本体１に対して弧回動自在且つ着脱自在に取り付けられている。
【００２７】
そして、前記蓋体２の中央部には、前記上板１６から垂設された筒部２１が形成されており、該筒部２１内には、炊飯時に発生する水蒸気を外部へ排出するための蒸気排出通路２２を有するスチームキャップ２３が着脱自在に取り付けられている。該スチームキャップ２３内には、調圧弁として作用するボール弁２４が配設されている。前記スチームキャップ２３の下端には、前記蓋体２の閉止時に前記内鍋３の開口部３ａを密閉するための熱良導体（例えば、アルミ合金）からなる放熱板２５が取り付けられている。符号２６はスチームキャップ２３への蒸気入口、２７はスチームキャップ２４からの蒸気出口、２８は放熱板２５に形成された蒸気口、２９は放熱板２５の周縁と内鍋３の開口部３ａとの間をシールするシールパッキン、３０は放熱板２５と蓋体下板１７との間をシールするシールパッキンである。
【００２８】
前記肩部材７には、肩ヒータ３１が設けられており、該肩ヒータ３１に対しては、前記蓋体２の閉止時に放熱板２５の外周縁が圧接され、放熱板２５は肩ヒータ３１からの熱伝導により加熱されることとなっている。この肩ヒータ３１は、断面逆Ｕ字状のヒータリング３２と、該ヒータリング３２内に配設された発熱体３３とからなっている。
【００２９】
また、前記蓋体２には、前記放熱板２５の内方に位置し、該放熱板２５との間に空間部を介在させた状態で前記内鍋３の開口部３ａより内方に臨ませ且つその外周を前記内鍋３の内周面に近接させて支持された熱良導体からなる内蓋３４が設けられている。該内蓋３４は、前記スチームキャップ２３の中心部に下向きに突設された支持軸３５に対して着脱自在に嵌着されるシールパッキン３６に取り付けられている。
【００３０】
前記炊飯器本体１内の側方部位（例えば、ヒンジユニット２０側）おける空間部４には、送風ファン３７が前記肩部材７に取り付けられた状態で配置されている。該送風ファン３７は、スクロールタイプのファンケーシングを有する遠心ファンとされている。
【００３１】
前記送風ファン３７の吐出口３７ａには、ダクト３８が接続されており、該ダクト３８の上端は、前記肩部材７に形成された環状通路３９の入口３９ａに臨まされている。また、前記肩部材７には、前記環状通路３９と前記内鍋３と前記保護枠６との間に形成される環状の隙間Ｃの上部とを連通する複数の連通口４０が形成されている。つまり、前記送風ファン３７からの送風は、前記ダクト３８、環状通路３９および連通口４０を介して前記隙間Ｃの上部へ供給されることとなっているのである。符号４１は前記外ケース５の胴部５ａの下部に形成された空気取り入れ口である。
【００３２】
前記炊飯器本体１の反ヒンジ側（即ち、蓋体２をロックするロック機構４２が設けられている側）における空間部４には、ワークコイル１０、保温ヒータ１３および肩ヒータ３１等への通電制御を司る制御ユニットが組み込まれた制御基板４３が配設される一方、前記肩部材７における反ヒンジ側（即ち、蓋体２をロックするロック機構４２が設けられている側）には、各種操作スイッチ類（例えば、炊飯スイッチ、予約スイッチ等）および表示装置として作用する液晶表示装置を備えた操作パネル部４４が設けられている。
【００３３】
前記制御基板４３には、独立行政法人通信総合研究所標準電波送信所より規定周波数の電波に乗せて送信される現在時刻を表す電波時刻信号（即ち、外部電波）を受信する時刻受信部として作用する受信アンテナ４５が付設されている。
【００３４】
該操作パネル部４４には、図２に示すように、炊飯スイッチ４６、予約スイッチ４７、取消スイッチ４８、保温スイッチ４９、再加熱スイッチ５０、メニュースイッチ５１および液晶表示装置５２が設けられている。該液晶表示装置５２の周辺には、メニュースイッチ５１の操作に応じて液晶表示装置５２の矢印５２ａが移動して表示される各種メニュー（「白米」、「早炊き」、「玄米」、「おかゆ」、「炊込み」、「おこわ」および「ピラフ」）が表示されている。また、この液晶表示装置５２には、現在時刻を表示する時刻表示部５２ｂと前記センタセンサー８により検出された内鍋温度を表示する温度表示部５２ｃとを備えている。ここで、前記保温スイッチ４９は、１回の押圧操作により通常保温が選択され、２回の押圧操作により低温保温が選択されることとなっている。
【００３５】
ついで、図３に示す電気回路図に基づいて、本実施の形態にかかる電気炊飯器における電気的構成を説明する。なお、図１および図２に示された各部に対応する部分には同一の参照符号を付して示す。
【００３６】
商用交流電源５３からの電力は、内鍋３の異常加熱を検知して溶断する温度ヒューズ５４および整流回路５５を経てワークコイル１０に供給されるとともに、保温ヒータ１３および肩ヒータ３１にも供給されることとなっている。符号５６は平滑コンデンサ、５７は共振コンデンサ、５８，５９はヒータ駆動回路、６１は交流電源５３の非接続時に作動する補助電源として作用するバックアップ電池である。
【００３７】
前記ワークコイル１０には、マイクロコンピュータユニット（以下、マイコンと略称する）６２からＩＧＢＴドライブ回路６３を経た指令によりＯＮ／ＯＦＦ制御されるパワートランジスタ６４からの制御信号が与えられることとなっている。
【００３８】
前記マイコン６２は、所定のプログラムに従ってパワートランジスタ６４の制御を行い、これによりワークコイル１０への通電を制御する。この通電制御は、前記センターセンサ８（図１参照）内に内蔵されたサーミスタ６５からの出力信号に基づいて行なわれる。
【００３９】
また、前記マイコン６２には、前記受信アンテナ４５で受信された電波時刻信号がタイムコードレシーバ６６を経てタイムコード復調信号として入力されることとなっている。
【００４０】
上記マイコン６２は、通常の各種制御機能に加えて、受信アンテナ４５により受信された電波時刻信号により時刻表示部５２ｂに表示される現在時刻を予め設定された時期に修正する時刻修正手段としての機能と、受信アンテナ４５による電波時刻信号の受信を、ワーコイル１０の休止状態のときに行うように制御する受信制御手段としての機能とを有している。
【００４１】
ついで、図４に示すフローチャートを参照して、本実施の形態にかかる電気炊飯器における現在時刻修正制御について詳述する。この場合、受信アンテナ４５による電波時刻信号の受信を、交流電源５３の接続時であって、ワーコイル１０の休止状態のときに行うようにしている。
【００４２】
ステップＳ１において交流電源５３が接続されている（即ち、ＯＮされている）と判定されると、ステップＳ２において待機モードか否かの判定がなされ、ここで肯定判定された場合には、ステップＳ３において時刻が００分（即ち、１２時００分、１時００分等）であるか否かの判定がなされ、ここで肯定判定された場合には、ステップＳ４において受信アンテナ４５による電波時刻信号（即ち、外部電波）の受信が行われ、時刻表示部５２ｂに表示されている現在時刻の修正が行われる。該現在時刻の修正は、時刻修正手段により実行される。つまり、待機モード中においては、１時間に１回の電波時刻信号の受信および現在時刻の修正が実行されるのである。この場合、ワーコイル１０は発振作動していないので、電波時刻信号の受信を阻害するノイズはない。なお、ステップＳ３において否定判定された場合、あるいはステップＳ４において現在時刻の修正が終わった後には、ステップＳ２に戻り、前記と同様な制御が続行される。
【００４３】
ステップＳ２において否定判定された場合には、ステップＳ５に進み、予約スイッチ４７による予約が確定したか否かの判定がなされ、ここで肯定判定された場合には、ステップＳ６において受信アンテナ４５による電波時刻信号（即ち、外部電波）の受信が行われ、時刻表示部５２ｂに表示されている現在時刻の修正が行われる。該現在時刻の修正は、時刻修正手段により実行される。つまり、予約確定直後に電波時刻信号の受信および現在時刻の修正が実行されるのである。この場合、ワーコイル１０は発振作動していないので、電波時刻信号の受信を阻害するノイズはない。なお、ステップＳ６において現在時刻の修正が終わった後には、ステップＳ２に戻り、前記と同様な制御が続行される。
【００４４】
ステップＳ５において否定判定された場合には、ステップＳ７に進み、予約確定モードか否かの判定がなされ、ここで肯定判定された場合には、ステップＳ８において時刻が００分（即ち、１２時００分、１時００分等）であるか否かの判定がなされ、ここで肯定判定された場合には、ステップＳ９において受信アンテナ４５による電波時刻信号（即ち、外部電波）の受信が行われ、時刻表示部５２ｂに表示されている現在時刻の修正が行われる。該現在時刻の修正は、時刻修正手段により実行される。つまり、予約確定モード中においては、１時間に１回の電波時刻信号の受信および現在時刻の修正が実行されるのである。この場合、ワーコイル１０は発振作動していないので、電波時刻信号の受信を阻害するノイズはない。なお、ステップＳ８において否定判定された場合、あるいはステップＳ９において現在時刻の修正が終わった後には、ステップＳ２に戻り、前記と同様な制御が続行される。
【００４５】
ステップＳ７において否定判定された場合には、ステップＳ１０に進み、炊飯が実行され、蒸らし工程（図７参照）が終了したか否かの判定がなされ、ここで肯定判定された場合には、ステップＳ１１において受信アンテナ４５による電波時刻信号（即ち、外部電波）の受信が行われ、時刻表示部５２ｂに表示されている現在時刻の修正が行われる。該現在時刻の修正は、時刻修正手段により実行される。つまり、蒸らし工程の終了直後に電波時刻信号の受信および現在時刻の修正が実行されるのである。この場合、ワーコイル１０は発振作動していないので、電波時刻信号の受信を阻害するノイズはない。なお、ステップＳ１１において現在時刻の修正が終わった後には、ステップＳ２に戻り、前記と同様な制御が続行される。
【００４６】
ステップＳ１０において否定判定された場合には、ステップＳ１２に進み、保温制御中において再加熱スイッチ５０のＯＮ操作によって再加熱が実行され、当該再加熱（図７参照）が終了したか否かの判定がなされ、ここで肯定判定された場合には、ステップＳ１３において受信アンテナ４５による電波時刻信号（即ち、外部電波）の受信が行われ、時刻表示部５２ｂに表示されている現在時刻の修正が行われる。該現在時刻の修正は、時刻修正手段により実行される。つまり、再加熱の終了直後に電波時刻信号の受信および現在時刻の修正が実行されるのである。この場合、ワーコイル１０は発振作動していないので、電波時刻信号の受信を阻害するノイズはない。なお、ステップＳ１３において現在時刻の修正が終わった後には、ステップＳ２に戻り、前記と同様な制御が続行される。
【００４７】
ステップＳ１２において否定判定された場合には、ステップＳ１４に進み、保温制御中において保温温度が低温保温（設定温度Ｔｓ１）→通常保温（設定温度Ｔｓ２）あるいは通常保温（設定温度Ｔｓ２）→高温保温（設定温度Ｔｓ３）に移行した（図７参照）か否かの判定がなされ、ここで肯定判定された場合には、ステップＳ１５において受信アンテナ４５による電波時刻信号（即ち、外部電波）の受信が行われ、時刻表示部５２ｂに表示されている現在時刻の修正が行われる。該現在時刻の修正は、時刻修正手段により実行される。つまり、保温温度の移行直後に電波時刻信号の受信および現在時刻の修正が実行されるのである。この場合、ワーコイル１０は発振作動していないので、電波時刻信号の受信を阻害するノイズはない。なお、ステップＳ１５において現在時刻の修正が終わった後には、ステップＳ２に戻り、前記と同様な制御が続行される。
【００４８】
上記したように、本実施の形態においては、交流電源５３の接続時であって、ワーコイル１０の休止状態のときに、電波時刻信号の受信および現在時刻の修正が行われることとなっているのである。従って、ワーコイル１０が発する電磁波（換言すれば、ノイズ）に邪魔されることなく、電波時刻信号の受信を行うことができることとなり、現在時刻の修正を適正に行うことができる。
【００４９】
ところで、電波時刻信号は、福島県のおおかたどや山標準電波送信所（４０ＫＨｚ）と佐賀県のはがね山標準電波送信所（６０ＫＨｚ）との２カ所から送信されており、両者の受信範囲は異なっている。現在では、４０ＫＨｚ・６０ＫＨｚの両波を受信し、受信状態の良い周波数を選択した後に、標準電波信号を受信するようにしている。
【００５０】
電気炊飯器においては、電源投入時に交流電源５３の周波数判定を毎回行っている。交流電源５３の周波数が５０Ｈｚである地域と福島県のおおかたどや山標準電波送信所（４０ＫＨｚ）から送信される電波の受信範囲とがほぼ一致し、交流電源５３の周波数が６０Ｈｚである地域と佐賀県のはがね山標準電波送信所（６０ＫＨｚ）から送信される電波の受信範囲とがほぼ一致しているところから、本実施の形態においては、図５に示すように、電源周波数の判定を利用して電波時刻信号の受信周波数を決定するようにしている。
【００５１】
ステップＳ１において、電源周波数が５０Ｈｚであるか否かの判定がなされ、ここで肯定判定された場合には、ステップＳ２において受信アンテナ４５による電波時刻信号の受信周波数を４０ＫＨｚにセットし、否定判定された場合には、ステップＳ３において受信アンテナ４５による電波時刻信号の受信周波数を６０ＫＨｚにセットする。
【００５２】
上記のようにすれば、電源周波数で受信周波数を決定するため、４０ＫＨｚ・６０ＫＨｚの両波を受信する場合に比べて精度はやや落ちるが、受信に必要な時間を大幅に短縮できる。
【００５３】
上記説明においては、交流電源５３の接続時のみにおいて、電波時刻信号の受信および現在時刻の修正を行うようにしているが、交流電源５３の非接続時あるいは停電時（換言すれば、バックアップ電池６１の作動時）においても電波時刻信号の受信および現在時刻の修正を行うことができるようにすることもできる。その場合、バックアップ電池６１の容量が限られているため、バックアップ電池６１の寿命を損ねないように、交流電源５３の接続時より受信回数を少なくする必要がある。
【００５４】
例えば、交流電源５３が非接続となる物流在庫時においては、毎月１日の午前０時に電波時刻信号の受信を行うようにする。また、停電状態が４８時間以上続いた時には４８時間毎に電波時刻信号の受信を行うようにする。ここで、物流在庫時とは、工場出荷時から次に通電されるまでの間をいう。
【００５５】
上記のようにすると、バックアップ電池６１の寿命を損ねることなく、電波時刻信号の受信による現在時刻の修正が可能となる。
【００５６】
第２の実施の形態
図６には、本願発明の第２の実施の形態にかかる電気炊飯器における現在時刻修正制御のフローチャートが示されている。
【００５７】
この場合、マイコン６２は、通常の各種制御機能に加えて、受信アンテナ４５により受信された電波時刻信号により時刻表示部５２ｂに表示される現在時刻を予め設定された時期に修正する時刻修正手段としての機能と、受信アンテナ４５による電波時刻信号の受信時にはワークコイル１０の作動を休止する作動制御手段としての機能とを有している。
【００５８】
ついで、図６のフローチャートを参照して、現在時刻修正制御について詳述する。
【００５９】
ステップＳ１およびステップＳ２において、吸水工程中あるいは保温中であるか否かの判定がなされ、ここで肯定判定された場合には、ステップＳ３において時刻が００分（即ち、１２時００分、１時００分等）であるか否かの判定がなされ、ここで肯定判定された場合には、ステップＳ４においてワークコイル１０がＯＦＦされ、ステップＳ５において受信アンテナ４５による電波時刻信号（即ち、外部電波）の受信が行われ、時刻表示部５２ｂに表示されている現在時刻の修正が行われる。該現在時刻の修正は、時刻修正手段により実行される。しかる後、ステップＳ６におい現在時刻の修正が終了したと判定されると、ステップＳ７においてワークコイル１０がＯＮされ、その後ステップＳ１へリターンする。ステップＳ２およびステップＳ３において否定判定された場合にもステップＳ１へリターンする。
【００６０】
上記したように、本実施の形態においては、吸水工程中あるいは保温制御中であって、受信アンテナ４５による電波時刻信号の受信時には、ワークコイル１０の作動が強制的に休止されることとなっている。従って、ワークコイル１０が発する電磁波（換言すれば、ノイズ）に邪魔されることなく、電波時刻信号の受信を行うことができることとなり、現在時刻の修正を適正に行うことができるのである。吸水工程中あるいは保温制御中においては、電波時刻信号の受信時にワークコイル１０を強制的に休止させたとしても、吸水機能あるいは保温機能が阻害されるということがないので、炊飯あるいは保温を良好に継続しつつ電波時刻信号の受信を行うことができる。なお、吸水工程中あるいは保温制御中以外の工程においても、電波時刻信号の受信時に、ワークコイル１０の作動を強制的に休止させることもできる。その場合、電波時刻信号の受信に要する時間だけワークコイル１０がＯＦＦされるため、炊き上げ工程中においては若干の影響がでるおそれがある。
【００６１】
その他の構成および作用効果は、第１の実施の形態におけると同様なので、説明を省略する。
【００６２】
なお、上記各実施の形態においては、独立行政法人通信総合研究所標準電波送信所から送信される電波を利用したものについて説明したが、これに限定されるものではなく今後行われる同様の電波サービスの利用も可能である。
【００６３】
【発明の効果】
本願発明の第１の手段によれば、炊飯用の内鍋と、該内鍋を電磁誘導により発熱させる電磁誘導コイルと、現在時刻を表示する時刻表示部と、電波時刻信号を受信する時刻受信部と、前記電波時刻信号により前記時刻表示部に表示される現在時刻を予め設定された時期に修正する時刻修正手段とを備えた電気炊飯器において、前記時刻受信部による電波時刻信号の受信を、前記電磁誘導コイルの休止状態のときに行うように制御する受信制御手段を付設して、時刻受信部による電波時刻信号の受信を電磁誘導コイルの休止時に行うようにしたので、電磁誘導コイルが発する電磁波（換言すれば、ノイズ）に邪魔されることなく、電波時刻信号の受信を行うことができることとなり、現在時刻の修正を適正に行うことができるという効果がある。
【００６４】
本願発明の第２の手段によれば、炊飯用の内鍋と、該内鍋を電磁誘導により発熱させる電磁誘導コイルと、現在時刻を表示する時刻表示部と、電波時刻信号を受信する時刻受信部と、前記電波時刻信号により前記時刻表示部に表示される現在時刻を予め設定された時期に修正する時刻修正手段とを備えた電気炊飯器において、前記時刻受信部による電波時刻信号の受信時には前記電磁誘導コイルの作動を休止する作動制御手段を付設して、時刻受信部による電波時刻信号の受信時には、電磁誘導コイルの作動を強制的に休止させるようにしたので、電磁誘導コイルが発する電磁波（換言すれば、ノイズ）に邪魔されることなく、電波時刻信号の受信を行うことができることとなり、現在時刻の修正を適正に行うことができるという効果がある。
【００６５】
本願発明の第３の手段におけるように、上記第２の手段を備えた電気炊飯器において、前記作動制御手段を、吸水工程中あるいは保温制御中にのみ作動させるように構成することもでき、そのように構成した場合、吸水工程中あるいは保温制御中においては、電波時刻信号の受信時に電磁誘導コイルを強制的に休止させたとしても、吸水機能あるいは保温機能が阻害されるということがないので、炊飯あるいは保温を良好に継続しつつ電波時刻信号の受信を行うことができる。
【００６６】
本願発明の第４の手段におけるように、上記第１、第２又は第３の手段を備えた電気炊飯器において、交流電源の非接続時に作動する補助電源を付設するとともに、前記電波時刻信号の受信を、交流電源の接続中にのみ行うように構成することもでき、そのように構成した場合、電波時刻信号の受信によって消費される電力を交流電源により賄うことができることとなり、補助電源の電力消費を可及的に抑えることができる。
【００６７】
本願発明の第５の手段におけるように、上記第１、第２又は第３の手段を備えた電気炊飯器において、交流電源の非接続時に作動する補助電源を付設するとともに、該補助電源接続時における前記電波時刻信号の受信回数を、交流電源接続時における前記電波時刻信号の受信回数より少なくすることもでき、そのように構成した場合、電波時刻信号の受信により消費される補助電源の電力消費を必要最小限に抑えることができることとなり、補助電源の寿命を引き延ばすことができる。
【図面の簡単な説明】
【図１】本願発明の第１の実施の形態にかかる電気炊飯器の縦断面図である。
【図２】本願発明の第１の実施の形態にかかる電気炊飯器における操作パネル部の正面図である。
【図３】本願発明の第１の実施の形態にかかる電気炊飯器における制御回路部の結線図である。
【図４】本願発明の第１の実施の形態にかかる電気炊飯器における現在時刻修正制御のフローチャートである。
【図５】本願発明の第１の実施の形態にかかる電気炊飯器における受信周波数決定制御のフローチャートである。
【図６】本願発明の第２の実施の形態にかかる電気炊飯器における現在時刻修正制御のフローチャートである。
【図７】電気炊飯器を用いて炊飯を行う場合の内鍋温度の変化を示すタイムチャートである。
【符号の説明】
３は内鍋、１０は電磁誘導コイル（ワークコイル）、４５は時刻受信部（受信アンテナ）、５２は液晶表示装置、５２ｂは時刻表示部、６１は補助電源（バックアップ電池）、６２はマイクロコンピュータユニット（マイコン）。
【図１】
2004166786.tif 000003
【図２】
2004166786.tif 000004
【図３】
2004166786.tif 000005
【図４】
2004166786.tif 000006
【図５】
2004166786.tif 000007
【図６】
2004166786.tif 000008
【図７】
2004166786.tif 000009